(57)【要約】【課題】印字ヘッド（サーマルヘッド１３）の機構、開閉カバー３の開閉にかかわるカバーロック２７の機構および印字ヘッド１３の放熱機構をより簡略化して、部品点数を減らし、省スペースで組み立て可能とするプリンターのカバーロック機構を提供すること。【解決手段】カバーロック２７が従来の放熱板を兼ねることに着目し、プリンターハウジング２に対して開閉する開閉カバー３と、印字用紙（ラベル連続体４）に印字可能な印字ヘッド１３と、印字ヘッド１３との間に印字用紙４を挟持して移送可能なプラテンローラー１４と、プラテンローラー１４と係脱することにより印字ヘッド１３およびプラテンローラー１４を接離させるカバーロック２７と、を有するプリンターのカバーロック機構であって、カバーロック２７は、印字ヘッド１３を取り付けているとともに印字ヘッド１３から発生する熱を放熱可能であることを特徴とする。【選択図】図３
2014188703.tif 000002
【特許請求の範囲】
【請求項１】
プリンターハウジングと、
このプリンターハウジングに対して開閉する開閉カバーと、
前記プリンターハウジングあるいはこの開閉カバーのいずれか一方に取り付けるとともに、前記プリンターハウジングに装填される印字用紙に印字可能な印字ヘッドと、
前記開閉カバーあるいは前記プリンターハウジングのいずれか他方に取り付けるとともに、この印字ヘッドとの間に前記印字用紙を挟持して回転することにより前記印字用紙を移送可能なプラテンローラーと、
前記プラテンローラーと係脱することにより、前記印字ヘッドおよび前記プラテンローラーを互いに接離させるカバーロックと、を有するプリンターのカバーロック機構であって、
前記カバーロックは、
前記印字ヘッドを取り付けているとともに、前記印字ヘッドから発生する熱を放熱可能であることを特徴とするプリンターのカバーロック機構。
【請求項２】
前記プラテンローラーおよび前記印字ヘッドを互いに離反させるように操作する開放用押しボタンを、さらに設けていることを特徴とする請求項１記載のプリンターのカバーロック機構。
【請求項３】
前記カバーロックは、前記開放用押しボタンに対向する当接傾斜プレートを一体に有することを特徴とする請求項１または２記載のプリンターのカバーロック機構。
【請求項４】
前記カバーロックには、前記プラテンローラーのプリンター軸に取り付けたロックピンに係脱するプラテンローラーロック係合部を形成していることを特徴とする請求項１ないし３のいずれかに記載のプリンターのカバーロック機構。
【請求項５】
前記カバーロックには、前記プラテンローラーのプリンター軸に取り付けたロックピンが当接するテーパー面を形成していることを特徴とする請求項１ないし４のいずれかに記載のプリンターのカバーロック機構。
【請求項６】
前記カバーロックの前記当接傾斜プレートは、前記開放用押しボタンの裏面側に対して接近する方向に傾斜していることを特徴とする請求項１ないし５のいずれかに記載のプリンターのカバーロック機構。
【請求項７】
前記カバーロックの前記当接傾斜プレートは、前記印字ヘッドにより印字される前記印字用紙が前記プリンターハウジング外に発行されてくる発行口の近傍にこれを位置させていることを特徴とする請求項１ないし６のいずれかに記載のプリンターのカバーロック機構。
【請求項８】
前記カバーロックには、前記印字ヘッドを前記プラテンローラー方向に付勢するヘッド付勢スプリングを取り付けるスプリング取付け突出部を形成しているとともに、
このスプリング取付け突出部の内壁面には、前記印字ヘッドに対向する凹部を形成していることを特徴とする請求項１ないし７のいずれかに記載のプリンターのカバーロック機構。
【請求項９】
前記カバーロックの材料は、表面にメッキ処理を施した鉄材であることを特徴とする請求項１ないし８のいずれかに記載のプリンターのカバーロック機構。
【請求項１０】
前記印字ヘッドは、これを前記プリンターハウジングに取り付けるとともに、前記プラテンローラーは、これを前記開閉カバーに取り付けることを特徴とする請求項１ないし９のいずれかに記載のプリンターのカバーロック機構。
【発明の詳細な説明】
【技術分野】
【０００１】
本発明はプリンターのカバーロック機構にかかるもので、とくに部品点数を減らすとともに、省スペースで組み立て可能なプリンターのカバーロック機構に関するものである。
【背景技術】
【０００２】
従来から、卓上型プリンターや携帯式プリンターなど各種のプリンターに帯状のラベル連続体その他の印字用紙を装填するために、開閉カバーなどを開放して、そのプリンターハウジング内に印字用紙を収納する必要がある。
この開閉カバーなどの開放および閉鎖ロックのためにカバーロックを設けることが提案されている。
【０００３】
また、プリンターの印字部における印字ヘッドまわりの機構は、ヘッド取付け部材や放熱板など複数の各種部品を使用しているため、コストアップの問題および広い組立てスペースを必要とするという問題がある。
さらに、上記印字ヘッドまわりの機構とともに、上記カバーロックまわりの機構についても、より簡略化した構成が要請されている。
【０００４】
しかしながら、とくに、携帯式プリンターにとっては、全体の小型軽量化は好ましいものである反面、印字ヘッドにおいて発生する熱を放散する放熱機構を確保しなければならないという問題がある。
【先行技術文献】
【特許文献】
【０００５】
【特許文献１】実公平７−４６５３８号公報
【発明の概要】
【発明が解決しようとする課題】
【０００６】
本発明は以上のような諸問題にかんがみなされたもので、部品点数を減らすとともに、省スペースで組み立て可能なプリンターのカバーロック機構を提供することを課題とする。
【０００７】
また本発明は、印字ヘッドまわりの機構をより簡略化したプリンターのカバーロック機構を提供することを課題とする。
【０００８】
また本発明は、開閉カバーの開閉にかかわるカバーロックまわりの機構をより簡略化したプリンターのカバーロック機構を提供することを課題とする。
【０００９】
また本発明は、印字ヘッドの放熱機構をより簡略化したプリンターのカバーロック機構を提供することを課題とする。
【課題を解決するための手段】
【００１０】
すなわち本発明は、開閉カバーの開閉のためのカバーロックが従来の放熱板を兼ねるようにすることに着目したもので、プリンターハウジングと、このプリンターハウジングに対して開閉する開閉カバーと、上記プリンターハウジングあるいはこの開閉カバーのいずれか一方に取り付けるとともに、上記プリンターハウジングに装填される印字用紙に印字可能な印字ヘッドと、上記開閉カバーあるいは上記プリンターハウジングのいずれか他方に取り付けるとともに、この印字ヘッドとの間に上記印字用紙を挟持して回転することにより上記印字用紙を移送可能なプラテンローラーと、上記プラテンローラーと係脱することにより、上記印字ヘッドおよび上記プラテンローラーを互いに接離させるカバーロックと、を有するプリンターのカバーロック機構であって、上記カバーロックは、上記印字ヘッドを取り付けているとともに、上記印字ヘッドから発生する熱を放熱可能であることを特徴とするプリンターのカバーロック機構である。
【００１１】
上記プラテンローラーおよび上記印字ヘッドを互いに離反させるように操作する開放用押しボタンを、さらに設けていることができる。
【００１２】
上記カバーロックは、上記開放用押しボタンに対向する当接傾斜プレートを一体に有することができる。
【００１３】
上記カバーロックには、上記プラテンローラーのプリンター軸に取り付けたロックピンに係脱するプラテンローラーロック係合部を形成していることができる。
【００１４】
上記カバーロックには、上記プラテンローラーのプリンター軸に取り付けたロックピンが当接するテーパー面を形成していることができる。
【００１５】
上記カバーロックの上記当接傾斜プレートは、上記開放用押しボタンの裏面側に対して接近する方向に傾斜していることができる。
【００１６】
上記カバーロックの上記当接傾斜プレートは、上記印字ヘッドにより印字される上記印字用紙が上記プリンターハウジング外に発行されてくる発行口の近傍にこれを位置させていることができる。
【００１７】
上記カバーロックには、上記印字ヘッドを上記プラテンローラー方向に付勢するヘッド付勢スプリングを取り付けるスプリング取付け突出部を形成しているとともに、このスプリング取付け突出部の内壁面には、上記印字ヘッドに対向する凹部を形成していることができる。
【００１８】
上記カバーロックの材料は、表面にメッキ処理を施した鉄材であることができる。
【００１９】
上記印字ヘッドは、これを上記プリンターハウジングに取り付けるとともに、上記プラテンローラーは、これを上記開閉カバーに取り付けることができる。
【発明の効果】
【００２０】
本発明によるプリンターのカバーロック機構においては、印字ヘッドを取り付けたカバーロックに放熱機能を持たせたので、従来から必要であって放熱板を別途設ける必要がなくなり、部品点数を減らして、省スペースでの組立てを可能とし、コストダウンおよび小型軽量化に寄与することができる。
【図面の簡単な説明】
【００２１】
【図１】本発明の実施例によるカバーロック機構１０を備えた携帯式プリンター１の斜視図である。
【図２】同、携帯式プリンター１の開閉カバー３をプリンターハウジング２に対して開放した状態の斜視図である。
【図３】同、カバーロック機構１０（開放用押しボタン２０）部分の要部断面図である。
【図４】同、カバーロック２７の斜視図である。
【図５】同、カバーロック２７およびサーマルヘッド１３の一体構造を示す斜視図である。
【発明を実施するための形態】
【００２２】
本発明は、印字ヘッドを取り付けたカバーロックに放熱機能を持たせたので、部品点数を減らして、省スペースでの組立てを可能とし、コストダウンおよび小型軽量化が可能なプリンターのカバーロック機構を実現した。
【実施例】
【００２３】
つぎに本発明の実施例によるプリンターのカバーロック機構を図１ないし図５にもとづき説明する。
図１は、上記プリンターたとえば携帯式プリンター１の斜視図であって、携帯式プリンター１は、サーマルプリンターとしてこれを構成してあり、プリンターハウジング２および開閉カバー３を有する。
図２は、携帯式プリンター１の開閉カバー３をプリンターハウジング２に対して開放した状態の斜視図であって、携帯式プリンター１はさらに、ロール状としたラベル連続体４（印字用紙）の供給部５と、印字部６と、入力部７と、表示部８と、電源スイッチ９と、カバーロック機構１０と、を有する。
【００２４】
プリンターハウジング２は、作業者が携帯可能な大きさを有し、図１中、上方にベルト掛け部１１を設けて、肩掛けベルト（図示せず）により携帯式プリンター１全体を作業者の肩から吊り下げ可能としている。もちろん、作業者の腰に装着可能とする構成とすることもできる。
さらにプリンターハウジング２には、図１中、下方隅部に位置したカバー軸１２のまわりに開閉カバー３を開閉可能に設けて、供給部５へのラベル連続体４の収納および携帯式プリンター１への装填を可能としている。
【００２５】
ラベル連続体４は、帯状の台紙上に複数枚のラベル片を仮着した構成である。ラベル片は、いわゆるサーマルラベルであって、その表面に感熱発色層を塗工して、印字可能としてある。
供給部５は、上記ラベル連続体４をロール状に巻いてその内部に収納し、印字部６方向に帯状に繰り出し可能としている。
【００２６】
印字部６は、プリンターハウジング２側に取り付けたサーマルヘッド１３と、開閉カバー３側に取り付けるとともにラベル連続体４を移送可能なプラテンローラー１４と、サーマルヘッド１３をプラテンローラー１４方向に付勢するヘッド付勢スプリング１５と、駆動モーター１６と、を有する。
プラテンローラー１４のプラテンローラー軸１７の一方側端部にはプラテンローラーギア１８を設けるとともに、プリンターハウジング２側には駆動モーター１６の回転を伝達するための連結ギア１９を設け、開閉カバー３のプリンターハウジング２への閉鎖によってプラテンローラーギア１８と連結ギア１９とを係合させ、駆動モーター１６によりプラテンローラー１４を回転駆動可能としている。
【００２７】
すなわち、サーマルヘッド１３およびプラテンローラー１４の間にラベル連続体４を挟持して、駆動モーター１６によりプラテンローラー１４を回転駆動するとともに、サーマルヘッド１３に供給した印字データに応じてサーマルヘッド１３の発熱素子１３Ａを発熱させ、ラベル連続体４（ラベル片）にサーマル印字を行う。
【００２８】
入力部７は、携帯式プリンター１に必要なデータないしコマンドを入力可能とする。
表示部８は、入力部７により入力された情報およびその他必要な情報を表示可能とする。
【００２９】
つぎに、プリンターハウジング２には開放用押しボタン２０を設け、本実施例にかかるカバーロック機構１０は、この開放用押しボタン２０の内方部分にこれを設けている。
図３は、カバーロック機構１０（開放用押しボタン２０）部分の要部断面図である。
開放用押しボタン２０は、ボタン本体２１と、ボタン本体２１の周縁部の全周をめぐってこれに形成した防水用密着面２２と、ボタン本体２１に一体に形成したそのボタン軸２３および弾性体としてのボタン付勢スプリング２４と、ボタン本体２１の裏面側に突出形成した押込み用突出部２５と、を有する。
【００３０】
ボタン本体２１は、図１に示したように、プリンターハウジング２の表面側に露出する部分であって、携帯式プリンター１を使用する作業者がプリンターハウジング２の内方（図３中、右方から左方）に向かって押し込む部分である。
【００３１】
防水用密着面２２は、ボタン本体２１より相対的にプリンターハウジング２の内方側に凹んだ状態でこれを形成してプリンターハウジング２の内側に入り込むことができるとともに、プリンターハウジング２の内壁面２Ａに密着可能な平面領域である。
とくに図１に仮想線で示すように、防水用密着面２２は、サーマルヘッド１３の長さ方向（ラベル連続体４の幅方向）に沿ってより長く庇のように延びており、サーマルヘッド１３の発熱素子１３Ａ（図２）のすべてを覆うことができるようにしている。
【００３２】
左右一対のボタン軸２３は、プリンターハウジング２の内部ブラケット（図示せず）にこれを軸着し、ボタン本体２１の押込み操作により、開放用押しボタン２０全体をプリンターハウジング２に対して回動可能としている。
【００３３】
左右一対のボタン付勢スプリング２４は、防水用密着面２２と同一平面内で蛇行させて（図１の仮想線を参照）開放用押しボタン２０の端部にこれを形成しており、ボタン本体２１からボタン軸２３をこえた部位に位置するそれぞれの端部に当接軸部２６を起立させている。
とくに図３に示すように、それぞれの当接軸部２６がプリンターハウジング２の内壁面２Ａに当接して、左右一対のボタン付勢スプリング２４が撓むことにより、その付勢力を発揮して開放用押しボタン２０の防水用密着面２２をプリンターハウジング２の内壁面２Ａに密着可能とする。
換言すれば、開放用押しボタン２０のボタン軸２３は、ボタン付勢スプリング２４と防水用密着面２２との間に位置してこれを設けて、防水用密着面２２がプリンターハウジング２の内壁面２Ａに密着させるように、ボタン付勢スプリング２４が開放用押しボタン２０を付勢可能としている。
なおボタン付勢スプリング２４を蛇行して形成することにより、所定の付勢力を得るための必要な長さを狭い空間内で得ることが可能となり、かつ、ボタン本体２１と一体形成することにより、とくに小型軽量に製造する必要があるこの種携帯式プリンター１に有利である。
【００３４】
とくに図３に示すように、開放用押しボタン２０の裏面側（プリンターハウジング２の内方側）には、カバーロック２７をヘッド軸２８のまわりに回動可能に設けている。
図４は、カバーロック２７の斜視図、図５は、カバーロック２７およびサーマルヘッド１３の一体構造を示す斜視図である。
図４および図５に示すように、カバーロック２７には、接着剤によりサーマルヘッド１３を取り付け固定している。
【００３５】
カバーロック２７の上縁部中央に位置して、押込み用突出部２５（図３）に対向する部位に当接傾斜プレート２９を一体形成して設けるとともに、サーマルヘッド１３を介して押込み用突出部２５の反対側に位置して、その左右折曲げ部に断面ほぼ半円弧状の左右一対のプラテンローラーロック係合部３０を形成している。
なお、カバーロック２７の当接傾斜プレート２９は、開放用押しボタン２０の裏面側に対して接近する方向に傾斜しており、換言すれば、開放用押しボタン２０のプリンターハウジング２に対する当初の押込み方向（プリンターハウジング２の内方に向かって直交する方向）に対して傾斜している。
したがって、開放用押しボタン２０（押込み用突出部２５）からカバーロック２７の当接傾斜プレート２９に作用してヘッド軸２８まわりのカバーロック２７の回動操作に働く分力を比較的大きくすることができ、開放用押しボタン２０への操作力自体を比較的少ないものとすることができる。
【００３６】
プラテンローラーロック係合部３０には、プラテンローラー１４の左右一対のロックピン３１が係脱可能である。開閉カバー３の閉鎖にともなって、ロックピン３１がプラテンローラーロック係合部３０に係合した状態で、プラテンローラー１４がサーマルヘッド１３に所定押圧力（印字圧力）で当接可能であり、その間に挟持するラベル連続体４への印字が可能な状態となる。
【００３７】
ボタン本体２１の裏面側に位置する押込み用突出部２５は、このカバーロック２７の当接傾斜プレート２９に対向しており、ボタン付勢スプリング２４の付勢力に抗したボタン軸２３まわりの開放用押しボタン２０の図３中、時計方向の回動により、押込み用突出部２５が当接傾斜プレート２９を押圧し、さらにヘッド付勢スプリング１５の付勢力に抗してヘッド軸２８まわりにカバーロック２７をサーマルヘッド１３とともに、図３中、反時計方向に回動させる。
したがって、プラテンローラー１４のロックピン３１がカバーロック２７のプラテンローラーロック係合部３０から離脱した状態となり、サーマルヘッド１３およびプラテンローラー１４とを互いに離反させ、その間にラベル連続体４を装填可能となる。
かくして、開放用押しボタン２０の回動により、当接傾斜プレート２９を介してカバーロック２７をプラテンローラー１４から離反可能としている。
【００３８】
また、プラテンローラーロック係合部３０の上方端部には、テーパー面３２を形成してあり、開閉カバー３の閉鎖作動時にプラテンローラー１４のロックピン３１がテーパー面３２に当接したのち、プラテンローラーロック係合部３０に係合しやすくしている。
【００３９】
かくして、サーマルヘッド１３を取り付けているカバーロック２７は、開閉カバー３の閉鎖および開放にともない、プラテンローラー１４と係脱することにより、サーマルヘッド１３およびプラテンローラー１４を互いに接離させるが、さらにカバーロック２７は、サーマルヘッド１３から発生する熱を直接放熱可能である。
すなわち、カバーロック２７の材料は、表面に亜鉛やクロムなどのメッキ処理を施した鉄材であり、サーマルヘッド１３の熱を放熱可能であるとともに、プラテンローラー１４のロックピン３１の係脱を可能とする剛性ないし機械的強度を確保している。また、屋外で使用する可能性がある携帯式プリンター１が湿気や雨水などに起因するさびの発生を、鉄材へのメッキ処理により防止可能としている。
【００４０】
さらに、カバーロック２７の当接傾斜プレート２９は、開放用押しボタン２０の裏面側に対して接近する方向に傾斜しているとともに、当接傾斜プレート２９は、サーマルヘッド１３により印字されるラベル連続体４がプリンターハウジング２外に発行されてくる発行口３３の近傍にこれを位置させているので、外気に触れやすい部位にあるため、放熱作用を良好なものとしている。
もちろん、開放用押しボタン２０を操作して開閉カバー３（プラテンローラー１４）をサーマルヘッド１３から開放離反させるたびに、カバーロック２７のプラテンローラーロック係合部３０およびテーパー面３２を形成している部分がサーマルヘッド１３とともに外部に露出することになるので、同じく放熱作用を上げることができる。
【００４１】
また、カバーロック２７には、サーマルヘッド１３をプラテンローラー１４方向に付勢するヘッド付勢スプリング１５を取り付ける左右一対のスプリング取付け突出部３４（図３）を形成しているとともに、それぞれのスプリング取付け突出部３４の内壁面には、サーマルヘッド１３に対向する凹部３５（図４、図５）を形成している。
したがって、スプリング取付け突出部３４の部分において表面積を増やすことができ、放熱効果を高めることができる。
【００４２】
とくに図３に示すように、開放用押しボタン２０における防水用密着面２２の下方側先端部は、用紙切断用端部３６としてあり、用紙切断用端部３６がサーマルヘッド１３およびプラテンローラー１４の間から発行口３３に移送されてきたラベル連続体４に対向し、所定の部位でラベル連続体４（台紙、ラベル片）を切断可能である。
【００４３】
さらに、とくに図３に示すように、当該携帯式プリンター１は、サーマルヘッド１３がプラテンローラー１４より上方に位置するようにこれを携帯可能であるとともに、とくに図３に示すように、開放用押しボタン２０の下方側先端部（用紙切断用端部３６）は、開閉カバー３の先端部の外表面よりわずかに（図３に示す間隔Ｄ）外方側に位置している。
したがって、印字済みのラベル連続体４の発行口３３とカバーロック２７との間で空気が滞留しにくく、カバーロックによる放熱作用を円滑に行うことができる。
【００４４】
こうした構成の携帯式プリンター１のカバーロック機構１０において、図１に示す開閉カバー３の閉鎖状態から、図２に示す開閉カバー３の開放状態にするには、ボタン付勢スプリング２４（図３）の付勢力に抗して開放用押しボタン２０をプリンターハウジング２の内方に押し込む。
開放用押しボタン２０の押込み操作により、既述のように、プラテンローラーロック係合部３０とロックピン３１との係合を解除してプラテンローラー１４を開閉カバー３とともに図２の開放状態とし、サーマルヘッド１３およびプラテンローラー１４の間にラベル連続体４を挿通装填可能とする。
この開放状態で供給部５内にロール状のラベル連続体４を収納し、開閉カバー３をプリンターハウジング２方向に閉鎖すればプラテンローラー１４のロックピン３１がカバーロック２７のテーパー面３２に当接する。ヘッド付勢スプリング１５の付勢力に抗して開閉カバー３（プラテンローラー１４）をさらに閉鎖方向に押し込めば、ロックピン３１がプラテンローラーロック係合部３０に係合するに至り、開閉カバー３を閉鎖し、またサーマルヘッド１３およびプラテンローラー１４の間にラベル連続体４を挟持して、これを押圧した状態とすることができる。
【００４５】
さらに、カバーロック２７にサーマルヘッド１３を直接取り付けているので、部品点数を減らすとともに、カバーロック２７がサーマルヘッド１３からの発生熱を熱伝導作用により直接受け取り、上述のように、カバーロック２７が放熱板の放熱機能をも兼ねるため、省スペースでの組み立てを実現し、携帯式プリンター１の小型軽量化に寄与することができる。
【００４６】
もちろん、卓上型プリンターその他のプリンターにも本発明によるカバーロック機構を採用することが可能である。
【００４７】
さらにまた、上述の実施例においては、印字ヘッド（サーマルヘッド１３）は、これをプリンターハウジング２に取り付け、プラテンローラー１４は、これを開閉カバー３に取り付けているとともに、開放用押しボタン２０は、プリンターハウジング２に対してこれを回動可能としている構造を説明したが、本発明においては、プリンターの使用条件や使用形態に応じて、それぞれの部品ないし相対関係について任意の組み合わせを選択することにより設計の自由度を上げることができる。
たとえば、印字ヘッド（サーマルヘッド１３）は、これを開閉カバー３に取り付け、プラテンローラー１４は、これをプリンターハウジング２に取り付けることができる。
また、開放用押しボタン２０は、開閉カバー３に対してこれを回動可能とすることもできる。
【符号の説明】
【００４８】
１  携帯式プリンター（プリンター）
２  プリンターハウジング
３  開閉カバー
４  ラベル連続体（印字用紙）
５  供給部
６  印字部
７  入力部
８  表示部
９  電源スイッチ
１０  携帯式プリンター１のカバーロック機構（実施例、図３）
１１  ベルト掛け部
１２  開閉カバー３のカバー軸
１３  サーマルヘッド（印字ヘッド）
１３Ａ  サーマルヘッド１３の発熱素子
１４  プラテンローラー
１５  ヘッド付勢スプリング
１６  駆動モーター
１７  プラテンローラー１４のプラテンローラー軸
１８  プラテンローラー１４のプラテンローラーギア
１９  連結ギア
２０  開放用押しボタン
２１  開放用押しボタン２０のボタン本体
２２  開放用押しボタン２０の防水用密着面
２３  開放用押しボタン２０のボタン軸
２４  開放用押しボタン２０のボタン付勢スプリング
２５  開放用押しボタン２０の押込み用突出部
２６  ボタン付勢スプリング２４の当接軸部
２７  カバーロック
２８  サーマルヘッド１３のヘッド軸
２９  カバーロック２７の当接傾斜プレート
３０  カバーロック２７のプラテンローラーロック係合部
３１  プラテンローラー１４のロックピン
３２  カバーロック２７のテーパー面
３３  発行口
３４  カバーロック２７のスプリング取付け突出部
３５  スプリング取付け突出部３４の凹部
３６  用紙切断用端部
Ｄ    開放用押しボタン２０の用紙切断用端部３６と開閉カバー３の先端部の外表面との間の間隔（図３）
【図１】
2014188703.tif 000003
【図２】
2014188703.tif 000004
【図３】
2014188703.tif 000005
【図４】
2014188703.tif 000006
【図５】
2014188703.tif 000007